(57)【要約】【課題】スクリーン装置の取り付けのための構造を簡単化すると共に、その設置作業を簡易化して設置コストを低廉化した取付機構を提供する。【解決手段】縦引きのスクリーン装置１の取付機構であって、スクリーンの両側端をガイドする一対のガイド枠７を建物開口部の左右の側枠２ａに設けた取付金具１５に取付具３０を用いて取り付ける。取付金具は、建物開口部に向けて突出す固定板１６に複数の固定孔１９を有し、ガイド枠には長手方向に沿って口部２６を狭窄化した取付溝２５を設け、取付具３０は、固定板１６に当接させる基板３１の表面から突出する軸部３３の先端に矩形状の係止部片３４を連結して構成する。取付具によるガイド枠の固定は、その係止部片を固定孔を通してガイド枠の取付溝に挿入したうえで、操作部の回転により係止部片を取付溝における溝蓋の内側面に係止させて行う。【選択図】図１
2015224497.tif 000002
【特許請求の範囲】
【請求項１】
建物開口部にスクリーンを縦引きで張設するスクリーンの収納ボックスの両端部に、該収納ボックスから導出されるスクリーンの両側端をガイドする一対のガイド枠を備え、該一対のガイド枠を上記建物開口部の左右の側枠に設けた取付金具に対し、取付具を用いて取り付けるようにした該スクリーン装置の取付機構において、
上記側枠に取り付ける取付金具は、上記建物開口部側に向けて突出する上記ガイド枠の固定板を備え、該固定板に対して上記ガイド枠を上記取付具で固定する部位に、固定孔を開設してなり、
一方、該固定板を介して上記側枠に取り付ける上記ガイド枠には、該固定板に対向する当接面に、該ガイド枠の長手方向に沿って口部を狭窄化した取付溝を設け、
上記取付具は、上記固定板に当接させる基板上に操作部を備えると共に、該基板表面から突出する軸部の先端に、上記取付溝の口部を通して該取付溝に挿入できる係止部片を連結することにより構成し、
上記取付具による上記ガイド枠の固定板に対する固定は、該固定板の固定孔を通して、ガイド枠の取付溝の狭窄化した口部から該取付具の係止部片を該取付溝に挿入したうえで、操作部の回転により係止部片を上記ガイド枠の取付溝に係止させることによって行うように構成している、
ことを特徴とするスクリーン装置の取付機構。
【請求項２】
上記取付具の係止部片が矩形状をなし、その短辺側の幅は、上記ガイド枠の取付溝の口部における対向する溝蓋間の開口幅よりも僅かに小さく、これに対し上記固定板の固定孔におけるガイド枠の長手方向に直交する方向の幅は、上記係止部片における短辺側の幅に対して、ガイド枠の取付溝に直交する方向での該ガイド枠の取付位置の調整分を付加した幅とし、
上記ガイド枠の取付溝における溝蓋内の溝幅は、上記取付具の係止部片における長辺側の幅よりも大きく、また、上記取付金具の固定孔におけるガイド枠の長手方向の幅は、上記取付具の係止部片における長辺側の幅よりも僅かに大きいものとし、
上記取付具の軸部は、上記ガイド枠の取付溝における狭窄化した口部を通して該取付溝内に係止部片を嵌入した状態において、該取付具の回転により、取付金具の固定板とガイド枠の溝蓋とを、取付具の基板と係止部片との間に挟み着けるに必要な長さを有するものとしている、
ことを特徴とする請求項１に記載のスクリーン装置の取付機構。
【請求項３】
上記固定板におけるガイド枠の取付面と、それに当接させるガイド枠の当接面とのいずれか一方に、当接する両面間の摩擦力を高める弾性材製のテープを、少なくとも部分的に貼着し、
上記弾性材製のテープを、上記取付具により上記固定板の取付面と上記ガイド枠の当接面との間に挟み着けることによって該両面間の固定を行う、
ことを特徴とする請求項１または２に記載のスクリーン装置の取付機構。
【請求項４】
上記取付具における基板に、その延長部として形成した弾性的に復帰傾向を有する係止板を連設し、該係止板に上記軸部側に突出する突子を設け、
一方、上記取付金具の固定板に、それに開設した固定孔のそれぞれに対し一定距離を介して隣接させた上記突子が嵌入する係止孔を開設し、
上記固定板の固定孔及び上記ガイド枠の取付溝に上記取付具の係止部片を嵌入し、該係止部片を上記ガイド枠の取付溝における溝蓋の内側面に係止させた状態において、上記係止板に設けた突子が取付金具の固定板の係止孔に嵌入し、該取付具の復帰回転を抑制するものとした、
ことを特徴とする請求項１〜３のいずれかに記載のスクリーン装置の取付機構。
【請求項５】
上記係止板に設けた突子が取付金具の固定板の係止孔に嵌入した状態において、取付具のハンドル状の操作部がガイド枠の長手方向を向き、且つ係止板が固定板の係止孔を閉鎖する位置にある、
ことを特徴とする請求項４に記載のスクリーン装置の取付機構。
【請求項６】
上記収納ボックスの背面両端部に、該収納ボックスを上記取付金具の固定板に掛け止めする掛鉤を設け、上記ガイド枠に、その取付溝に直交する方向での取付位置が調整可能である横幅をもつ掛孔を設けた、
ことを特徴とする請求項１〜５のいずれかに記載のスクリーン装置の取付機構。
【発明の詳細な説明】
【技術分野】
【０００１】
本発明は、主として窓等の建物開口部の室内側に縦引きのスクリーン装置を取り付ける場合に適した該スクリーン装置の取付機構に関するものである。
【背景技術】
【０００２】
特許文献１に開示されているように、建物開口部における左右の側枠の室内側に、該建物開口部に張設するスクリーンの両側端の昇降をガイドする一対のガイド枠を備えたスクリーン装置を取り付けるに当たり、上記建物開口部の側枠に対して、スクリーン装置における上記一対のガイド枠を、簡素化した構造の取付具を用いる取付機構により、特別の工具を使用することなく取り付け可能にしたものが、既に知られている。
【０００３】
この特許文献１に開示の取付機構は、具体的には、上記スクリーンの両側端をガイドするガイド枠に、その長手方向に沿って口縁を狭窄化した取付溝を設け、一方、建物開口部に取り付けた取付金具に、上記取付溝の口縁の幅に相当する径の固定孔及び該孔を上記取付溝の方向に向けて外側に開かせる開溝を設け、上記取付金具に上記ガイド枠を固定するための取付具を、ハンドル状の操作部から側方に突出する軸部の先端に係止部片を連結し、上記軸部が、ガイド枠における上記取付溝の口縁の幅内及び上記取付金具における固定孔内に収まる径を有し、且つ上記ガイド枠の溝蓋及び取付金具をハンドル状の操作部と係止部片との間に挟み着けるに必要な長さを有するものとし、上記係止部片が、ガイド枠の上記取付溝の狭窄化した口縁の幅よりも大きい周縁部を有することにより、該取付溝に嵌入係止可能で、該溝内でハンドル状の操作部がガイド枠に交差する姿勢からガイド枠に沿う姿勢をとる範囲で回転可能な板状に形成されたものとしている。
【０００４】
そのため、上記ガイド枠の取付溝に係止部片を嵌入した取付具の軸部を取付金具の固定板における開溝を通してその固定孔に嵌入したのち、該取付具のハンドル状の操作部を軸部の周りで回転させ、該ハンドル状の操作部にガイド枠に沿う姿勢を保持させて該ガイド枠を取付金具に固定可能にしている。
【０００５】
しかしながら、上記取付機構では、ガイド枠の長手方向に沿って口縁を狭窄化した取付溝を設け、上記取付具における係止部片が、ガイド枠の取付溝の狭窄化した口縁の幅よりも大きい周縁部を有するものとしているので、上記取付具の係止部片はガイド枠の取付溝の溝端から該取付溝に嵌入させる必要があり、上記溝端が建物の一部等の何らかの障害物により閉鎖された状態にあれば、取付具の係止部片を取付溝に嵌入させることができず、そのような場合には、ガイド枠の取り付けが不能ないしは困難になるため、予め必要数の取付具の係止部片をガイド枠の取付溝の溝端から嵌入しておくなどの対応を考慮しておく必要がある。
【０００６】
また、上記の問題が解決できたとしても、一般に、上記スクリーンの両側端をガイドするガイド枠間の長さと建物開口部の横幅とは、所期の寸法的関係を持つように設定されているとは限らず、その寸法調整に苦慮することもあり、そのため、何らかの手段で容易に一対のガイド枠の取付位置を調整可能にすることが望まれている。
【先行技術文献】
【特許文献】
【０００７】
【特許文献１】特開２０１０−１５９６１６号公報
【発明の概要】
【発明が解決しようとする課題】
【０００８】
本発明の主たる技術的課題は、スクリーン装置の取り付けのための構造を簡単化すると共に、その設置作業を簡易化して設置コストを低廉化することにある。
また、本発明の他の技術的課題は、スクリーン装置の取り付けのための構造が上述のように簡単なものでありながら、建物開口部枠に対して位置調整可能で、しかも、そのスクリーン装置を左右方向の調整位置に安定的に設置できるようにした取付機構を提供することにある。
【課題を解決するための手段】
【０００９】
上記課題を解決するため、本発明によれば、建物開口部にスクリーンを縦引きで張設するスクリーンの収納ボックスの両端部に、該収納ボックスから導出されるスクリーンの両側端をガイドする一対のガイド枠を備え、該一対のガイド枠を上記建物開口部の左右の側枠に設けた取付金具に対し、取付具を用いて取り付けるようにした該スクリーン装置の取付機構において、上記側枠に取り付ける取付金具は、上記建物開口部側に向けて突出する上記ガイド枠の固定板を備え、該固定板に対して上記ガイド枠を上記取付具で固定する部位に、固定孔を開設してなり、一方、該固定板を介して上記側枠に取り付ける上記ガイド枠には、該固定板に対向する当接面に、該ガイド枠の長手方向に沿って口部を狭窄化した取付溝を設け、上記取付具は、上記固定板に当接させる基板上に操作部を備えると共に、該基板表面から突出する軸部の先端に、上記取付溝の口部を通して該取付溝に挿入できる係止部片を連結することにより構成し、上記取付具による上記ガイド枠の固定板に対する固定は、該固定板の固定孔を通して、ガイド枠の取付溝の狭窄化した口部から該取付具の係止部片を該取付溝に挿入したうえで、操作部の回転により係止部片を上記ガイド枠の取付溝に係止させることによって行うように構成していることを特徴とするスクリーン装置の取付機構が提供される。
【００１０】
本発明に係るスクリーン装置の取付機構の好ましい実施形態においては、上記取付具の係止部片が矩形状をなし、その短辺側の幅は、上記ガイド枠の取付溝の口部における対向する溝蓋間の開口幅よりも僅かに小さく、これに対し上記固定板の固定孔におけるガイド枠の長手方向に直交する方向の幅は、上記係止部片における短辺側の幅に対して、ガイド枠の取付溝に直交する方向での該ガイド枠の取付位置の調整分を付加した幅とし、上記ガイド枠の取付溝における溝蓋内の溝幅は、上記取付具の係止部片における長辺側の幅よりも大きく、また、上記取付金具の固定孔におけるガイド枠の長手方向の幅は、上記取付具の係止部片における長辺側の幅よりも僅かに大きいものとし、上記取付具の軸部は、上記ガイド枠の取付溝における狭窄化した口部を通して該取付溝内に係止部片を嵌入した状態において、該取付具の回転により、取付金具の固定板とガイド枠の溝蓋とを、取付具の基板と係止部片との間に挟み着けるに必要な長さを有するものとして構成される。
【００１１】
本発明に係るスクリーン装置の取付機構の他の好ましい実施形態においては、上記固定板におけるガイド枠の取付面と、それに当接させるガイド枠の当接面とのいずれか一方に、当接する両面間の摩擦力を高める弾性材製のテープを、少なくとも部分的に貼着し、上記弾性材製のテープを、上記取付具により上記固定板の取付面と上記ガイド枠の当接面との間に挟み着けることによって該両面間の固定を行うものとして構成される。
【００１２】
また、本発明に係るスクリーン装置の取付機構の他の好ましい実施形態においては、上記取付具における基板に、その延長部として形成した弾性的に復帰傾向を有する係止板を連設し、該係止板に上記軸部側に突出する突子を設け、一方、上記取付金具の固定板に、それに開設した固定孔のそれぞれに対し一定距離を介して隣接させた上記突子が嵌入する係止孔を開設し、上記固定板の固定孔及び上記ガイド枠の取付溝に上記取付具の係止部片を嵌入し、該係止部片を上記ガイド枠の取付溝における溝蓋の内側面に係止させた状態において、上記係止板に設けた突子が取付金具の固定板の係止孔に嵌入し、該取付具の復帰回転を抑制するものとして構成される。この場合においては、上記係止板に設けた突子が取付金具の固定板の係止孔に嵌入した状態において、取付具のハンドル状の操作部がガイド枠の長手方向を向き、且つ係止板が固定板の係止孔を閉鎖する位置にあるようにすることが望ましい。
【００１３】
更に、本発明に係るスクリーン装置の取付機構の他の好ましい実施形態においては、上記収納ボックスの背面両端部に、該収納ボックスを上記取付金具の固定板に掛け止めする掛鉤を設け、上記ガイド枠に、その取付溝に直交する方向での取付位置が調整可能である横幅をもつ掛孔を設けたものとして構成される。
【発明の効果】
【００１４】
上述した本発明の取付機構によれば、スクリーン装置の取り付けのための構造を簡単化すると共に、その設置作業を簡易化して設置コストを低廉化することができ、また、スクリーン装置の取り付けのための構造が上述のように簡単なものでありながら、建物開口部枠に対して位置調整可能で、しかも、そのスクリーン装置を左右方向の調整位置に安定的に設置できるようにした取付機構を提供することができる。
【図面の簡単な説明】
【００１５】
【図１】本発明に係るスクリーン装置の取付機構の実施例における要部のみの分解斜視図である。
【図２】同逆方向から見た分解斜視図である。
【図３】本発明の取付機構によるスクリーン装置の取付状態を示す従断面図である。
【図４】建物開口部枠の取付金具に上記スクリーン装置を取り付けるための取付具の拡大斜視図である。
【図５】上記取付具を反対方向から見た同拡大斜視図である。
【図６】本発明の取付機構によるスクリーン装置の取付状態を示す背面図である。
【図７】同正面図である。
【図８】（ａ）及び（ｂ）は、取付具により取付金具に対してガイド枠の左右位置を調整して固定する態様を説明するための説明図である。
【発明を実施するための形態】
【００１６】
図１及び図２は、本発明に係るスクリーン装置の取付機構の要部のみを相互に逆方向から見た状態を示し、また、図３はスクリーン装置の一例を縦断面によって示し、更に、図６及び図７は、上記スクリーン装置１を建物開口部枠２に取り付けた状態を背面図及び正面図によって示している。本発明に基づいて建物開口部枠２に取り付けるスクリーン装置１は、図示の実施例では特殊なスクリーン６を巻取りボックス４内の巻取軸５に巻き取るようにした巻取り式のものを例示しているが、本発明はそれらに限るものではなく、建物開口部に各種スクリーンを縦引きで張設するものであって、スクリーンの収納ボックスの両端部に、該収納ボックスから導出されるスクリーンの両側端をガイドする一対のガイド枠７を備え、該一対のガイド枠７を上記建物開口部の左右の側枠に対して取り付けるものであればよい。
【００１７】
スクリーン装置１の図示した実施例について簡単に説明すると、当該実施例では、スクリーンを収納しておく収納ボックスとして、特殊なスクリーン６を巻き取る巻取軸５を回転自在に支持させて収容した巻取りボックス４を用い、それを建物開口部枠２の上部に配置するようにしている。上記巻取軸５は、その端部に設けた図示しないスプロケットを操作チェーン９（図７参照）の操作により回転させるものである。また、上記特殊なスクリーン６は、図６に示すように、巻取軸５により巻き取られる第１のスクリーン６ａ、及びそれと共に重ねて巻き取られる第２のスクリーン６ｂとを備えると共に、両スクリーンの間に連結されて、両端が該両スクリーンに対して同じ一定の間隔で起倒自在とされた可撓性を有する一定幅の多数の調光用のスラット６ｃとによって構成されたものであり、巻取軸５からの巻き戻しの程度によってスラット６ｃの傾斜角度が調整可能なものである。なお、上記スクリーン６としては、周知のように、１枚の防虫網状のものを巻取軸５に巻き取るようにしたものであってもよいことは勿論である。
【００１８】
建物開口部枠２の上部に設置した巻取りボックス４の両端部には、該巻取りボックスから導出されるスクリーン６の両側端をガイドする一対のガイド枠７を備えている。このガイド枠７は、上記第１のスクリーン６の左右側端に設けた多数の係合子を左右のガイド枠７におけるガイドレール１１のスリット１２に摺動自在に係合させることにより、その昇降をガイドするように構成したものであり、また、上記第１及び第２のスクリーン６ａ，６ｂの下端にそれぞれ取り付けたボトムバー１３ａ，１３ｂの上下摺動も上記ガイド枠７のガイド溝１４ａ，１４ｂによりガイドさせている。更に、上記ガイド枠７には、以下に詳述するように、スクリーン装置１自体を建物開口部枠２に対して位置調整可能で、しかも、そのスクリーン装置１を左右方向の調整位置に安定的に設置可能にする機能をも具備させている。
【００１９】
上記スクリーン装置１のガイド枠７を上記建物開口部枠２の対向する一対の側枠２ａに取り付けるため、図１及び図２に明示しているように、該側枠２ａには、断面がＬ型をなすように固定板１６に取付部１７を付した取付金具１５が、該固定板が建物開口部の内側に向けて突出するようにネジ等で固定される。この取付金具１５として図示したものは、建物開口部内の上下方向の全長にわたって設置しているが、スクリーン装置１の固定に必要な範囲のみに部分的に設置することもできる。
なお、図示の実施例では、スクリーン装置１を一般的に窓用サッシの内側に設置される建物開口部枠２の左右の側枠２ａに取り付けるような形態にしているが、上記取付金具１５は建物開口部枠状に形成されるサッシ等に取り付けることもでき、その場合には、取付金具における取付部１７をサッシへの取り付けに適した形態にすればよい。
【００２０】
上記取付金具１５の固定板１６には、図１及び図２に明瞭に示すように、ガイド枠７を後述する取付具３０で固定しようとする複数の部位に固定孔１９を開設し、また、複数の該固定孔１９のそれぞれに対して下方に一定距離を介して隣接する部位に、係止孔２０を開設している。更に、上記固定板１６におけるガイド枠７の取付面１６ａには、ガイド枠７の当接面７ａとの間の摩擦力を高める弾性材製のテープ２２を貼着している。
【００２１】
上記固定孔１９は、後述するように取付具３０によるガイド枠７の取り付けに供するものであり、また、上記係止孔２０は、後述する取付具３０の突子３６を、該取付具３０の回転の抑止のために嵌入させるものである。更に、上記弾性材製のテープ２２は、少なくとも部分的に貼着すればよく、上記取付具３０により上記固定板１６の取付面１６ａと上記ガイド枠７の当接面７ａとの間に挟み着けることによって、該両面間の固定を確実に行うものとして構成される。なお、図示の実施例では、上記弾性材製のテープ２２を上記固定板１６に貼着しているが、ガイド枠７の当接面７ａに貼着することもできる。
一方、上記固定板１６を介して建物開口部枠２の一対の側枠２ａに取り付けられるガイド枠７には、上記固定板１６に対向する当接面７ａに、該ガイド枠７の長手方向に沿って、対向する一対の溝蓋２５ａによりそれらの間の口部２６を狭窄化した取付溝２５を設けている。
【００２２】
合成樹脂の成形品のより形成される上記取付具３０は、図４及び図５に明瞭に示すように、上記取付金具１５の固定板１６に当接させる基板３１上にハンドル状の操作部３２を備えると共に、該基板３１表面から上記操作部３２とは反対側に突出する軸部３３の先端に矩形状の係止部片３４を連結することにより構成し、更に、上記基板３１に、その延長部として形成した部分細幅化により弾性的に復帰傾向をもたせた係止板３５を連設し、該係止板３５に上記軸部３３側に突出する突子３６を設けている。
【００２３】
次に、図８等を参照して、上記取付具３０の各部と、取付金具１５における固定板１６の固定孔１９と、上記ガイド枠７における取付溝２５との関連性について説明する。
上記取付具３０は、その係止部片３４における短辺側の幅ａが、上記ガイド枠７の取付溝２５の口部２６における対向する溝蓋２５ａ間の開口幅ｃよりも僅かに小さく、これに対し、上記固定板１６の固定孔１９におけるガイド枠７の長手方向に直交する方向の幅ｄは、上記係止部片３４における短辺側の幅ａに対して、後述するように、ガイド枠７の取付溝２５に直交する方向での該ガイド枠７の取付位置の調整分を付加した幅とし、上記ガイド枠７の取付溝２５における溝蓋２５ａ内の溝幅は、上記取付具３０の係止部片３４における長辺側の幅ｂよりも十分に大きく、また、上記取付金具１５の固定孔１９におけるガイド枠７の長手方向の幅ｅは、上記取付具３０の係止部片３４における長辺側の幅ｂよりも僅かに大きいものとし、上記取付具３０の軸部３３は、上記ガイド枠７の取付溝２５における狭窄化した口部２６を通して該取付溝２５内に係止部片３４を嵌入した状態において、該取付具３０の軸部３３の周りでの回転により、取付金具１５の固定板１６とガイド枠７の溝蓋２５ａとを、取付具３０の基板３１と係止部片３４との間に挟み着けるに必要な長さを有するものとしている。
【００２４】
従って、上記取付具３０による上記ガイド枠７の固定板１６に対する固定は、該固定板１６の固定孔１９を通して、ガイド枠７の取付溝２５の狭窄化した口部２６から取付具３０の係止部片３４を該取付溝２５に挿入したうえで、ハンドル状の操作部３２により軸部３３を中心とする取付具３０の９０°の回転により、係止部片３４を上記ガイド枠７の取付溝２５における溝蓋２５ａの内側面に係止させ、取付金具１５の固定板１６とガイド枠７の溝蓋２５ａとを取付具３０の基板３１と係止部片３４との間に挟み着けることによって行うことができる。取付金具１５からのガイド枠７の取り外しは、上記と全く逆の操作を行えばよい。
【００２５】
また、上記取付具３０における基板３１には、その延長部として形成した弾性的に復帰傾向を有する係止板３５を連設し、該係止板３５に上記軸部３３側に突出する突子３６を設け、一方、上記取付金具１５の固定板１６には、複数の固定孔１９のそれぞれに隣接させた上記突子３６が嵌入する前述の係止孔２０を開設しているが、上述した取付具３０の回転により、上記突子３６が係止孔２０に系脱することになる。
【００２６】
そして、上記固定板１６の固定孔１９及び上記ガイド枠７の取付溝２５に上記取付具３０の係止部片３４を嵌入し、該係止部片３４を上記ガイド枠７の取付溝２５における溝蓋２５ａの内側面に係止させた状態において、上記係止板３５に設けた突子３６が取付金具１５の固定板１６の係止孔２０に嵌入させておくと、取付具３０に何らかの外力が作用しても、上記突子３６が係止孔２０の内縁によって該孔から脱出するのを阻止され、結果的に、該取付具３０の復帰回転が抑制され、固定板１６に対するガイド枠７の取り付けが確実なものになる。この場合に、上記係止板３５に設けた突子３６が取付金具１５の固定板１６の係止孔２０に嵌入した状態において、取付具３０のハンドル状の操作部３２がガイド枠７の長手方向を向き、且つ係止板３５が固定板１６の係止孔２０閉鎖する位置にあるようにすることが望ましい。
【００２７】
また、一般的に、上記スクリーン６の両側端をガイドするガイド枠７間の長さと建物開口部の横幅とが、所期の寸法的関係を持つように設定されているとは限らず、建物開口部内においてどのような位置にスクリーン装置を設置するかに苦慮することがある。更に、建物開口部枠２内に上記取付金具１５を用いてスクリーン装置を設置しても、左右いずれかに若干ずらしたいこともある。このような問題に対処するため、上記スクリーン装置の取付機構においては、前述した取付金具１５の固定板１６の固定孔１９におけるガイド枠７の取付溝２５に直交する方向の幅が、本来は取付具３０の係止部片３４における短辺側の幅より僅かに大きいものであればよいところを、それにガイド枠７の取付位置の調整分を付加したものとしている。
【００２８】
そのため、図８の（ａ）に示すように、取付金具１５に対してガイド枠７を十分に左側に寄せた状態で、図示のように取付具３０の係止部片３４をガイド枠７の取付溝２５に嵌入し、そのうえで該取付具３０を操作部３２によって回転させることにより、同図に示すような位置にガイド枠７を取り付けることができる。また、図８の（ｂ）に示すように、取付金具１５に対してガイド枠７を十分に右側に寄せた状態で、同様な操作を行うことにより、同図に示すような右方位置にガイド枠７を取り付けることができる。
なお、取付金具１５における固定板１６の係止孔２０についても、ガイド枠７の取付溝２５に直交する方向の幅について、上記固定孔１９と同様な調整分の付加を行っているので、同様に係止板３５の突子３６の係止孔２０に対する位置調整が行われる。
【００２９】
更に、スクリーン装置はその巻取りボックス４の重量が他の部分の重量に比して大きいのが通例であり、そのため、上記ガイド枠７の取付機構を利用して巻取りボックスの取り付けも強固に行えることが望まれる。上記取付金具１５によるガイド枠７の取付機構は、このような要求を充たすためにも利用できるようにするため、上記巻取りボックス４の背面両端部に、該巻取りボックス４を上記取付金具１５の固定板１６に掛け止めする掛鉤４０を設け、上記取付金具１５に、ガイド枠７の取付溝２５に直交する方向での取付位置が調整可能である横幅をもつ掛孔４１を設けている。そのため、この掛鉤４０による巻取りボックス４の固定は、上記ガイド枠７の位置調整に対しても対応させることができる。
【００３０】
上述したスクリーン装置の取付機構は、既知の同種の取付機構に比して、スクリーン装置の取り付けのための構造が簡単なものであり、特に、ガイド枠７の長手方向に沿って設けた取付溝２５の狭窄化した口部２６の幅に対し、上記取付具３０における矩形状の係止部片３４の短辺側の幅を小さくしているので、上記取付具３０の係止部片３４は、ガイド枠７の取付溝２５に対して任意位置で嵌脱してガイド枠７の固定、離脱を行うことができ、そのため、スクリーン装置の設置或いは離脱の作業を簡易化して設置コストを低廉化することができ、しかも、建物開口部枠に対して横方向の位置調整が可能で、そのスクリーン装置を左右方向の調整位置に対しても安定的に設置することができる。
【符号の説明】
【００３１】
１      スクリーン装置
２      建物開口部枠
２ａ    側枠
４      巻取りボックス
６      スクリーン
７      ガイド枠
７ａ    当接面
１５      取付金具
１６      固定板
１９      固定孔
２５      取付溝
２５ａ    溝蓋
２６      口部
３０      取付具
３１      基板
３２      操作部
３３      軸部
３４      係止部片
【図１】
2015224497.tif 000003
【図２】
2015224497.tif 000004
【図３】
2015224497.tif 000005
【図４】
2015224497.tif 000006
【図５】
2015224497.tif 000007
【図６】
2015224497.tif 000008
【図７】
2015224497.tif 000009
【図８】
2015224497.tif 000010